(57)【要約】【課題】肩ベルトの張力が調節でき、且つ張力調節時に装着状態が安定する姿勢矯正装着具を提供することを目的とする。【解決手段】  本発明の姿勢矯正装着具１０は、胸部に巻き付ける胸ベルト２０と、前記胸ベルト２０の背面側２３の中央の上部に設けられた背当て部３０と、前記背当て部３０の上部の左右から、前記胸ベルト２０の胸部側２１、２２に伸びる一対の肩掛けベルト４０と、前記一対の肩掛けベルト４０の両方の背面側に結合された固定端５０ａと前記固定端５０ａから下向きに延びて前記胸ベルトに着脱自在に固定される自由端５０ｂとを有する調節ベルト５０と、を備え、前記調節ベルト５０の自由端５０ｂの固定位置を変更することにより、前記一対の肩掛けベルト４０の背面側を前記胸ベルト２０に向かって引っ張る力を調節可能であることを特徴とする。【選択図】図１
2010094328.tif 000002
【特許請求の範囲】
【請求項１】
胸部に巻き付ける胸ベルトと、
前記胸ベルトの背面側中央の上部に設けられた背当て部と、
前記背当て部の上部の左右から、前記胸ベルトの胸部側に伸びる一対の肩掛けベルトと、
前記一対の肩掛けベルトの両方の背面側に結合された固定端と、前記固定端から下向きに延びて前記胸ベルトに着脱自在に固定される自由端とを有する調節ベルトと、を備え、
前記調節ベルトの自由端の固定位置を変更することにより、前記一対の肩掛けベルトの背面側を前記胸ベルトに向かって引っ張る力を調節可能であることを特徴とする姿勢矯正装着具。
【請求項２】
さらに、前記調節ベルトの他端から左右両側に伸びる２本の延長ベルトを備え、前記延長ベルトの自由端が、前記胸ベルトと着脱自在に固定可能であることを特徴とする請求項１に記載の姿勢矯正装着具。
【請求項３】
前記背当て部に開口が形成されていることを特徴とする請求項１又は２に記載の姿勢矯正装着具。
【発明の詳細な説明】
【技術分野】
【０００１】
本発明は、胸部から肩部に装着される姿勢矯正装着具に関する。
【背景技術】
【０００２】
猫背や前かがみの姿勢を矯正するための姿勢矯正装着具としては、背当て部と、一対の肩ベルトと、一対の腰バンドとを備えたものが知られている（例えば、特許文献１）。この姿勢矯正装着具では、腰バンドの一端は背当て部の下方の両側縁部に結合されて、他端は互いに連結解除可能にされている。また、肩ベルトは、一端が背当て部上部の上縁の左右隅部に結合され、左右の腕を通すためのループ部を設け、背当て部の下部に設けたベルト挿通案内部に挿通され、そして他端が腰バンドに連結解除可能にされている。
この姿勢矯正装着具は、肩ベルトのループに腕を通し、背当て部を背中にあて、腰バンドを腹部に巻き付けて使用する。肩ベルトの他端の連結位置を変化させることにより、肩ベルトのループを締めて両肩を背面側に引っ張り、背筋を伸ばすことができる。
【０００３】
また、別の姿勢矯正装着具としては、背当て部と、背当て部の両側上方にそれぞれ伸びる上肩部片と、背当て部の両方側部から横方に伸びて身体前部で掛け合わせる前合わせ部と、各前合せ部の上部にから伸びて、上記上肩部片の端部に着脱可能に係合する前肩部片と、を備えたものが知られている（例えば、特許文献２）。この姿勢矯正装着具には、背当て部で交叉した背当て部側伸縮性帯片と、前合わせ部の側縁に伸びる前側伸縮帯片とが固定されている。姿勢矯正装着具を装着したとき、この背当て部側伸縮性帯片と前側伸縮帯片によって、背筋がまっすぐに伸びるように上肩部から腰部にかけて背中が締めつけられる。
【特許文献１】特開２００１−２４８７７９号公報
【特許文献２】特開２００３−１４４４６８号公報
【発明の開示】
【発明が解決しようとする課題】
【０００４】
特許文献１の姿勢矯正装着具は、肩ベルトの他端の連結位置を変化させている間に、他端を掴んでいる手から他端が離れてしまうと、肩ベルトが緩んで、背当て部の上側が背中から離れてしまう可能性がある。すなわち、肩ベルトの張力の調節時に、装着状態が不安定になりやすい。
特許文献２の姿勢矯正装着具は、背当て部側伸縮性帯片と前側伸縮帯片の張力が調節できない。そのため、姿勢矯正力が強すぎた場合、又は弱すぎた場合であっても、姿勢矯正力を調節することができない。
また、特許文献１及び２の姿勢矯正装着具は、肩部から腰部まで上半身全体を覆うので、薄着になった時に、背中全体を覆う背当て部が目立ちやすい。
【０００５】
そこで、本発明は、肩ベルトの張力が調節でき、且つ張力調節時に装着状態が安定する姿勢矯正装着具を提供することを目的とする。また、本発明の別の目的は、薄着になっても目立ちにくい姿勢矯正装着具を提供することを目的とする。
【課題を解決するための手段】
【０００６】
本発明の姿勢矯正装着具は、胸部に巻き付ける胸ベルトと、前記胸ベルトの背面側中央の上部に設けられた背当て部と、前記背当て部の上部の左右から、前記胸ベルトの胸部側に伸びる一対の肩掛けベルトと、前記一対の肩掛けベルトの両方の背面側に結合された固定端と前記固定端から下向きに延びて前記胸ベルトに着脱自在に固定される自由端とを有する調節ベルトと、を備え、前記調節ベルトの自由端の固定位置を変更することにより、前記一対の肩掛けベルトの背面側を前記胸ベルトに向かって引っ張る力を調節可能であることを特徴とする。
【０００７】
本発明の姿勢矯正装着具は、肩掛けベルトを肩にかけ、背当て部を背中に当てて、胸ベルトを胸部に巻き付けて装着する。そして、調節ベルトの自由端の固定位置を変更することにより、肩掛けベルトを胸ベルトの方向（すなわち下向き）に引っ張る張力を調節することができる。調節ベルトの自由端を適切な位置に固定すると、肩掛けベルトの背面側が下向きに引っ張られ、それにより肩が背中方向に引っ張られて背筋が伸び、姿勢が矯正される。
【発明の効果】
【０００８】
本発明の姿勢矯正装着具は、調節ベルトによって肩掛けベルトの張力が調節できるので、姿勢矯正力を調節することができる。また、本発明の姿勢矯正装着具は、胸ベルト、背当て部及び肩掛けベルトによって装着されるので、調節ベルトによって張力を調節している間も、装着状態が安定している。また、本発明の姿勢矯正装着具は、胸部より上側のみを覆うので、背当て部が背中の上半分のみを覆うため、薄着になっても目立ちにくい。
【発明を実施するための最良の形態】
【０００９】
以下、図面に基づいて本発明の実施の形態を詳細に説明する。なお、以下の説明では、必要に応じて特定の方向や位置を示す用語（例えば、「上」、「下」、「右」、「左」及び、それらの用語を含む別の用語）を用いる。それらの用語の使用は図面を参照した発明の理解を容易にするためであって、それらの用語の意味によって本発明の技術的範囲が限定されるものではない。また、複数の図面に表れる同一符号の部分は同一の部分又は部材を示す。
【００１０】
図１〜図３に図示した姿勢矯正装着具１０は、胴体の胸部周囲に巻き付けられる胸ベルト２０と、胸ベルト２０の背面側２３の中央の上部に設けられた背当て部３０と、背当て部３０の上部の左右から、胸ベルト２０の胸部側２１、２２に伸びる一対の肩掛けベルト４０と、を備えている。姿勢矯正装着具１０の背面側には、別体の調節ベルト５０が備えられている。
【００１１】
胸ベルト２０は、背中から左右の脇下を通って胸部に巻き付けられる（図４〜図６）。胸ベルト２０の胸部側片２１、２２の端部を互いに係止することにより、胸ベルト２０は胸部にしっかり固定される。
【００１２】
肩掛けベルト４０は、右肩に掛けられる右肩掛けベルト４１と、左肩に掛けられる左肩掛けベルト４２とから成る。また、図１〜図３のように、各肩掛けベルト４０は、腕を挿通するループ状の空間を形成する。姿勢矯正装着具１０を装着する際には、このループ状の空間に左右の腕をそれぞれ挿通する。
【００１３】
背当て部３０は、背中の中心線に沿って配置され、胸ベルト２０と肩掛けベルト４０との間を接続している。
【００１４】
調節ベルト５０は、図１に示すように、一対の肩掛けベルト４０の両方の背面側に結合された固定端５０ａと、下向きに伸びた自由端５０ｂとを有している。調節ベルト５０の自由端５０ｂを胸ベルト２０側に近づけると、背面側における肩掛けベルト４０と胸ベルト２０との間隔が狭くなる。装着時に、胸ベルト２０は、ずれ上がらないように胸部周囲にしっかり巻き付けられるので、肩掛けベルト４０と胸ベルト２０との間隔が狭くなると、結果として、肩掛けベルト４０が背面側下向きに引っ張られる。そして、肩掛けベルト４０によって、肩も背面側下向きに引っ張られるため、背筋が伸びて姿勢が矯正される。
このように、調節ベルト５０の自由端５０ｂの固定位置（実質的には、胸ベルト２０に対する固定位置）を変化させることにより、肩掛けベルト４０の張力を調節して、姿勢強制力を調節することができる。
【００１５】
調節ベルト５０の自由端５０ｂは、胸ベルトに対して、直接的又は間接的に固定することができる。
直接的な固定としては、例えば、着脱自在な固定手段（例えば、面テープ）により、調節ベルト５０の自由端５０ｂを胸ベルト２０に直接固定する形態がある。
間接的な固定としては、調節ベルト５０の自由端５０ｂと胸ベルト２０との間に、固定用部材を介在させる形態がある。
【００１６】
以下に、間接的な固定の形態について、図を参照しながら詳述する。
図１〜３に示す姿勢矯正装着具１０では、調節ベルト５０の自由端５０ｂと胸ベルト２０との間に、延長ベルト５１、５２を介在させている。
延長ベルト５１、５２は、調節ベルト５０の自由端５０ｂから左右に伸びている。延長ベルト５１、５２の自由端５１ｂ、５２ｂは、例えば面テープのような固定手段により、胸ベルト２０の表面に着脱可能に固定できる。
延長ベルト５１、５２の自由端５１ｂ、５２ｂを胸ベルト２０に固定するとき、その固定位置を変更すれば、調節ベルト５０の位置も変更できる。その結果、肩掛けベルト４０の張力を調節でき、姿勢矯正力を調節できる。
【００１７】
延長ベルト５１、５２の長さは任意であるので、延長ベルト５１、５２の自由端５１ｂ、５２ｂが手で把持しやすい位置（例えば体側や胸部の位置）に来るように長さを調節するのが好ましい。これにより、体側や胸部側で、調節ベルト５０の固定位置を調節することができる。
すなわち、延長ベルト５１、５２を備えることにより、装着者の手が容易に届く範囲で、調節ベルト５０の固定位置を変更することができるようになる。よって、姿勢矯正装着具１０の装着時には、簡単に適切な姿勢矯正力に設定できるので、短時間で装着することができる。また、姿勢矯正装着具１０の使用中に肩掛けベルト４０の張力が強すぎる又は弱すぎると感じたら、すぐに張力を調節することができる。
【００１８】
本発明の姿勢矯正装着具１０は、装着したときに胸ベルト２０より上側のみが覆われるデザインになっている。そのため、衣服から姿勢矯正装着具１０が透けて見える薄手の衣服の下に装着しても、装着しているのが目立たない。また、姿勢矯正装着具１０がウエストまで達しないので、ウエスト周りを絞ったデザインの衣服の下にも、衣服のラインを崩すことなく装着することができる。
【００１９】
なお、夏用の姿勢矯正装着具１０では、背当て部３０に開口３３が形成されているのが好ましい。汗をかいたときに開口３３から発散されるため、涼しい装着感が得られる。
【００２０】
本実施の形態の姿勢矯正装着具１０の装着手順を説明する。
背当て部３０が内側に、調節ベルト５０が外側になるように姿勢矯正装着具１０を持つ（図３）。そして、右肩掛けベルト４１のループに右腕を、左肩掛けベルト４２のループに左腕を挿入し、背当て部３０を背中の中心に当てる。胸ベルト２０の胸部側片２１、２２を胸部の前まで延ばし、互いに係止する（図５）。図５の例では、右胸部片２２の端部の裏面側にフック側の面テープを設け、左胸部片２１の表面２１ａにループ側の面テープを設けている。そして、右胸部片２２の端部を、左胸部片２１の表面２１ａの任意の位置に固定している。
【００２１】
その後、調節ベルト５０の延長ベルト５１、５２の自由端５１ｂ、５２ｂをそれぞれ手に持ち、前方に引っ張る（図５）。そして、胸ベルト２０（図では、胸部側片２１、２２）の表面２１ａ、２２ａに、延長ベルト５１、５２の自由端５１ｂ、５２ｂを固定する（図４）。これにより、調節ベルト５０を下方向に引き延ばして、肩掛けベルト４０を下向きに引っ張ることができる（図６）。なお、自由端５１ｂ、５２ｂを固定する位置を下のほうに移動させれば、調節ベルト５０を、より下方向に引き延ばすことができる。
【００２２】
自由端５１ｂ、５２ｂを固定するための固定手段としては、面テープ、ホック等があるが、特に、任意の位置に固定できる面テープが好ましい。図２及び図５の例では、自由端５１ｂ、５２ｂの裏面側にフック側の面テープを設け、胸ベルト２０（図では胸部側片２１、２２）の表面（図では、胸部側片２１、２２の表面２１ａ、２２ａ）にループ側の面テープを設けている。これにより、自由端５１ｂ、５２ｂは胸ベルト２０の表面の任意の位置に固定できる。特に、胸ベルト２０に設けるループ側の面テープの面積を、自由端５１ｂ、５２ｂに設けるフック側の面テープよりも格段に広くすることにより、自由端５１ｂ、５２ｂをさまざまな位置に固定することを可能にしている。すなわち、胸ベルト２０に設けるループ側の面テープの面積を広くすることにより、調節ベルト５０を引っ張る力を幅広くコントロールできる。
【００２３】
次いで、姿勢矯正装着具１０を構成する各構成部材について詳述する。
（胸ベルト２０）
胸ベルト２０は、伸縮性の軟質部材から形成される。姿勢矯正装着具１０を胸部に保持するために、胸ベルト２０は胸回りにしっかりと巻き付けられるが、伸縮性のある部材から形成するので、呼吸を阻害することがない。裏面にすべり止めを設けると、姿勢矯正装着具１０を安定して保持できるので好ましい。
胸ベルト２０の表面（例えば、胸部側片２１、２２の表面２１ａ、２２ａ）には、胸部側片２１、２２を互いに係止し、そして調節ベルト５０を固定するために、面テープを備えることができる。
【００２４】
（背当て部３０）
背当て部３０は、伸縮性の軟質部材から形成される。背当て部３０は、胸ベルト２０から連続する一体成形としてもよく（図２、図３）、又は別体で準備して胸ベルト２０に縫合してもよい。図６のように、背当て部３０の横幅を肩甲骨の間に収まる程度にすると、衣服の外から目立ちにくく、またｈ、腕の動きを阻害しにくいので好ましい。
【００２５】
（肩掛けベルト４０）
肩掛けベルト４０は、伸縮性の軟質部材から形成される。肩掛けベルト４０は、背当て部３０又は胸ベルト２０から連続する一体成形としてもよく（図３）、又は別体で準備して背当て部３０及び胸ベルト２０に縫合してもよい。
肩掛けベルト４０は、姿勢矯正装着具１０を装着したときに、背中の中心から、両肩の付け根を通って、胸部の両脇側に伸びているのが好ましい（図４〜図６）。肩掛けベルト４０が背面側の中心を通ることにより、肩を背中の中心方向に引き寄せる効果が得られる。肩掛けベルト４０が両肩の付け根を通ることにより、胸を張った姿勢を保持し易くなるので好ましい。肩掛けベルト４０が胸部の両脇側を通ることにより、特に女性の場合には、バストを圧迫しないので好ましい。
【００２６】
（調節ベルト５０）
調節ベルト５０は、伸縮性の軟質部材から形成される。調節ベルト５０は、肩掛けベルト４０とは別体で準備されて肩掛けベルト４０の背面側に縫合される（図１）。
調節ベルトの横幅は特に限定されないが、背当て部３０の横幅と同程度又はそれ以下にするのが好ましい。
【００２７】
延長ベルト５１、５２は、伸縮性の軟質部材から形成される。延長ベルト５１、５２は、調節ベルト５０から連続する一体成形としてもよく（図１、図２）、又は別体で準備して調節ベルト５０に縫合してもよい。
延長ベルト５１、５２の自由端５１ｂ、５２ｂの裏面側には、胸ベルト２０の表面に係合するために面テープを備えられている。
【図面の簡単な説明】
【００２８】
【図１】本発明の実施の形態に係る姿勢矯正装着具１０の正面図である。
【図２】本発明の実施の形態に係る姿勢矯正装着具１０の正面図であり、調節ベルトを部分的に折り返している。
【図３】本発明の実施の形態に係る姿勢矯正装着具１０の裏面図である。
【図４】本発明の実施の形態に係る姿勢矯正装着具１０を装着した状態を示す正面図である。
【図５】本発明の実施の形態に係る姿勢矯正装着具１０の装着方法を説明するための正面図である。
【図６】本発明の実施の形態に係る姿勢矯正装着具１０を装着した状態を示す背面図である。
【符号の説明】
【００２９】
１０  姿勢矯正装着具
２０  胸ベルト
２１、２２  胸ベルトの胸部側片
２３  胸ベルトの背面側
３０  背当て部
３３  開口
４０  肩掛けベルト
５０  調節ベルト
５０ａ  調節ベルトの固定端
５０ｂ  調節ベルトの自由端
５１、５２  延長ベルト
【図１】
2010094328.tif 000003
【図２】
2010094328.tif 000004
【図３】
2010094328.tif 000005
【図４】
2010094328.tif 000006
【図５】
2010094328.tif 000007
【図６】
2010094328.tif 000008